(57)【要約】【課題】販売店舗内における商品についてリアルタイムに購買意欲を向上させることができる印字装置、商品販売システムおよび商品販売方法を提供することである。【解決手段】店舗内に第１商品および第２商品が陳列されている。商品販売システム１００は、表示装置１５０、選択装置１６０および印字装置１３０を含む。表示装置１５０は、第１商品に対して関連する関連基準情報１１４に基づいて関連基準情報１１４および第２商品の情報の一覧を表示し、選択装置１６０により表示装置１５０に表示された第２商品の情報が選択される。印字装置１５０は、選択装置１６０により選択された第２商品の情報３２２を第１商品に貼着するラベル３２０に印字する。【選択図】図２
2011178081.tif 000002
【特許請求の範囲】
【請求項１】
少なくとも第１商品および第２商品を販売する店舗内において、当該商品に貼着するためのラベルを印字する印字装置であって、
前記第１商品に対して関連する関連基準情報に基づいて、該関連基準情報および前記第２商品の情報の一覧を表示する表示部と、
前記表示部に表示された前記第２商品の情報を選択する選択部と、
前記選択部により選択された前記第２商品の情報を前記第１商品に貼着するラベルに印字する印字部とを含むことを特徴とする印字装置。
【請求項２】
前記第１商品は、生鮮食品であり、
前記関連基準情報は、第１商品を調理するレシピであることを特徴とする請求項１記載の印字装置。
【請求項３】
前記関連基準情報は、前記第２商品の在庫情報および前記第２商品の広告料に関する広告料情報のうち少なくとも一方を含むことを特徴とする請求項１または２に記載の請求項１記載の印字装置。
【請求項４】
前記第１商品および前記第２商品の販売実績および前記関連基準情報を記録する記録装置をさらに備えた請求項１から３のいずれか１項に記載の印字装置。
【請求項５】
少なくとも第１商品および第２商品を販売する店舗において使用される商品販売システムであって、
前記店舗内における前記第１商品および前記第２商品の関連基準情報を記録した記録装置と、
前記第１商品に対して、前記記録装置に記録された関連基準情報に基づいて、該関連基準情報および前記第２商品の情報の一覧を表示する表示装置と、
前記表示装置に表示された前記第２商品の情報を選択する選択装置と、
前記選択装置により選択された前記第２商品の情報を前記第１商品に貼着するラベルに印字するように指示を行う演算処理装置と、
前記演算処理装置からの指示に基づいて前記第１商品に貼着するラベルを印字する印字装置と、を含むことを特徴とする商品販売システム。
【請求項６】
前記第１商品は、生鮮食品であり、
前記関連基準情報は、第１商品を調理するレシピであることを特徴とする請求項５記載の商品販売システム。
【請求項７】
前記関連基準情報は、前記第２商品の在庫情報および前記第２商品の広告料に関する広告料情報のうち少なくとも一方を含むことを特徴とする請求項５または６に記載の商品販売システム。
【請求項８】
少なくとも第１商品および第２商品を販売する店舗において、商品を販売する商品販売方法であって、
前記第１商品および前記第２商品の関連基準情報を記録する記録ステップと、
前記第１商品に対して、前記記録ステップにより記録された前記関連基準情報に基づいて、該関連基準情報および前記第２商品の情報の一覧を表示する表示ステップと、
前記表示ステップにより表示された前記第２商品の情報を選択する選択ステップと、
前記選択ステップにより選択された前記第２商品の情報を前記第１商品のラベルに印字するように指示する指示ステップと、
前記指示ステップにより指示された第２商品の情報を前記第１商品のラベルに印字する印字ステップと、を含む商品販売方法。
【請求項９】
前記第１商品は、生鮮食品であり、
前記記録ステップは、前記関連基準情報として第１商品を調理するレシピを記録することを特徴とする請求項８記載の商品販売方法。
【請求項１０】
前記記録ステップは、関連基準情報として前記第２商品の在庫情報および前記第２商品の広告料に関する広告料情報の少なくとも一方を記録することを特徴とする請求項８または９に記載の商品販売方法。
【発明の詳細な説明】
【技術分野】
【０００１】
本発明は、商品に貼着するラベルの印字装置、当該ラベルを用いた商品販売システムおよび商品販売方法に関する。
【背景技術】
【０００２】
従来から、商品のラベルに関して種々の印字装置が使用されている。例えば、特許文献１には、計量、値付け印字装置に関し印字したラベルを物品に貼付する際、該物品のラベル貼付面が傾斜をしている場合においてもより確実にラベル貼付ができる自動式ラベル貼付装置について開示されている。
【０００３】
特許文献１記載の自動式ラベル貼付装置は、物品毎に設定されている設定条件に基づいて印字されたラベルを物品に貼付する装置において、上記印字されたラベルがラベル貼付装置のラベル貼付指定位置に到来したことを検知することによって、上記物品のラベル貼付面と上記ラベル貼付装置のラベル吸着保持面とがほぼ平行になり、上記物品の上記ラベル貼付面にほぼ垂直に上記ラベルを吹き付けて貼付することができるものである。
【０００４】
また、特許文献２には、包材の表示スペースの有効利用をはかり、それぞれの広告対象商品の販売相乗効果を得る包材広告売買仲介サービス提供サーバについて開示されている。
【０００５】
特許文献２記載の包材広告売買仲介サービス提供サーバは、クライアント端末装置とは通信ネットワークを介して接続された包材広告売買仲介サービス提供サーバであって、包装商品の内容が表示された包材の空き表示スペースに広告掲載を許可することが包材の媒体情報を含めてクライアント 端末装置を介して登録され、通信ネットワークを介して公開される包材媒体情報公開手段と、公開された包材媒体を閲覧した広告掲載を希望する側のクライアント端末装置を介して登録される広告商品情報を取り込む広告商品情報取込み手段と、登録された媒体情報および広告商品情報から、広告によって得られる相乗効果を評価し、広告掲載を許可する側と広告掲載を希望する側の包材広告売買を通信ネットワークおよびそれぞれのクライアント端末装置を介して仲介する適正評価手段と、を備えたものである。
【先行技術文献】
【特許文献】
【０００６】
【特許文献１】特開平１０−２１８１４４号公報
【特許文献２】特開２００３−１０８８６２号公報
【発明の概要】
【発明が解決しようとする課題】
【０００７】
以上のように、特許文献１記載の印字装置は、印字されたラベルを貼り付けることができ、特許文献２に記載の包材広告売買仲介サービス提供サーバは、包材に広告を貼り付けることができる。そして、当該両技術を用いた場合、商品の製造メーカと、広告掲載を希望するメーカ側とには、メリットが生じる。
【０００８】
しかしながら、当該技術では、実際に商品を販売する販売店舗側にメリットが生じないため、販売店舗側は当該技術を使用する意識が低下する。その結果、特許文献２の技術は、使用されないため、有効な効果を持っていても、当該効果が奏されないので問題となっている。
【０００９】
また、特許文献２記載の広告掲載の効果は、リアルタイムに働くか否かが判断できず、効果の予測が困難であるため、販売店舗側にとっては当該広告を貼り付けた包材の商品の仕入れ個数および在庫等の決定に迷いが生じ、問題となっている。
【００１０】
本発明の目的は、販売店舗内における商品についてリアルタイムに購買意欲を向上させることができる印字装置、商品販売システムおよび商品販売方法を提供することである。
【課題を解決するための手段】
【００１１】
（１）
一局面に従う印字装置は、少なくとも第１商品および第２商品を販売する店舗内において、当該商品に貼着するためのラベルを印字する印字装置であって、第１商品に対して関連する関連基準情報に基づいて、該関連基準情報および第２商品の情報の一覧を表示する表示部と、表示部に表示された第２商品の情報を選択する選択部と、選択部により選択された第２商品の情報を第１商品に貼着するラベルに印字する印字部とを含むものである。
【００１２】
店舗内に第１商品および第２商品が陳列されている。当該印字装置は、表示部、選択部および印字部とを含む。表示部は、第１商品に対して関連する関連基準情報に基づいて関連基準情報および第２商品の情報の一覧を表示し、選択部により表示部に表示された第２商品の情報が選択される。印字部は、選択部により選択された第２商品の情報を第１商品に貼着するラベルに印字する。
【００１３】
この場合、印字装置の選択部により表示部に関連基準情報に基づいて表示された第２商品の一覧から第２商品を選択し、第１商品のラベルに当該第２商品の情報を印字することができる。したがって、印字部により印字されたラベルを第１商品に貼着することにより、第１商品を購入した店舗の顧客に第２商品の情報を提供することができる。その結果、店舗内にある第２商品の購買意欲を向上させることができる。
また、第１商品を購入しようとした際に、ラベルに第２商品の情報が付されているので、リアルタイムに第２商品の購買意欲を向上させることができる。
【００１４】
（２）
第１商品は、生鮮食品であり、関連基準情報は、第１商品を調理するレシピであってもよい。
【００１５】
この場合、第１商品は、生鮮食品であるので消費期限が短く、特に第２商品の販売促進をリアルタイムに行うことができる。また、具体的に、顧客がレシピの料理を作る場合には、第２商品が必要であり、顧客にとって買い忘れ防止のメリットがあり、さらに店舗にとっても第２商品を販売することができるので、両者にメリットが生じる。
【００１６】
（３）
関連基準情報は、第２商品の在庫情報および第２商品の広告料に関する広告料情報のうち少なくとも一方を含んでもよい。
【００１７】
この場合、在庫情報および広告料情報の少なくとも一方に基づいて、第２商品を選択部により選択し、第１商品のラベルに第２商品の情報を印字することができる。その結果、店舗にとって在庫量の多い、または在庫情報に含まれる消費期限情報から消費期限の短い商品を効率よく販売することができる。さらに、店舗にとって予測よりも売買の少ない商品、または絶対的に売買の動きが少ない商品またはジャンル（シニスジの商品）を積極的に販売することができる。また、広告料の高い順に第２商品を選択することもできるので、店舗における広告料収入のメリットがある。さらに、在庫情報と兼用して使用することで、消費期限が短く、かつ広告料の高い第２商品を選択することができるので、店舗における販売効率が飛躍的に上がる。
【００１８】
（４）
第１商品および第２商品の販売実績と関連基準情報とを記録する記録装置をさらに備えてもよい。
【００１９】
この場合、記録装置に第１商品および第２商品の販売実績と関連基準情報とが記録されているので、店舗における販売状況、販売実情等に応じて、関連基準情報を選択し、当該選択された第２商品の情報を第１商品のラベルに付与することができる。なお、選択部による選択は、店舗の管理者が手動で選択してもよく、印字装置の中央演算処理部により自動的に選択してもよい。
【００２０】
（５）
他の局面に従う商品販売システムは、少なくとも第１商品および第２商品を販売する店舗において使用される商品販売システムであって、店舗内における第１商品および第２商品の関連基準情報を記録した記録装置と、第１商品に対して、記録装置に記録された関連基準情報に基づいて、該関連基準情報および第２商品の情報の一覧を表示する表示装置と、表示装置に表示された第２商品の情報を選択する選択装置と、選択装置により選択された第２商品の情報を第１商品に貼着するラベルに印字するように指示を行う演算処理装置と、演算処理装置からの指示に基づいて第１商品に貼着するラベルを印字する印字装置とを含むものである。
【００２１】
商品販売システムにおいては、印字装置、記録装置、表示装置、選択装置および演算処理装置が設けられる。記録装置に記録された関連基準情報が表示装置に表示される。そして、当該関連基準情報に基づいて、第１商品に対する第２商品の情報を、選択装置により選択し、当該選択された第２商品の情報を第１商品のラベルに印字するよう、演算処理装置から印字装置に指示を行う。
【００２２】
この場合、商品販売システムの選択装置により表示装置に表示された第２商品の一覧から第２商品を選択し、第１商品のラベルに当該第２商品の情報を印字することができる。したがって、印字装置により印字されたラベルを第１商品に貼着することにより、第１商品を購入した店舗の顧客に第２商品の情報を提供することができる。その結果、店舗内にある第２商品の購買意欲を向上させることができる。
また、第１商品を購入しようとした際に、ラベルに第２商品の情報が付されているので、リアルタイムに第２商品の購買意欲を向上させることができる。
【００２３】
（６）
第１商品は、生鮮食品であり、関連基準情報は、第１商品を調理するレシピであることが好ましい。
【００２４】
この場合、第１商品は、生鮮食品であるので消費期限が短く、特に第２商品の販売促進をリアルタイムに行うことができる。また、具体的に、顧客がレシピの料理を作る場合には、第２商品が必要であり、顧客にとって買い忘れ防止のメリットがあり、さらに店舗にとっても第２商品を販売することができるので、両者にメリットが生じる。
【００２５】
（７）
関連基準情報は、第２商品の在庫情報および第２商品の広告料に関する広告料情報のうち少なくとも一方を含んでもよい。
【００２６】
この場合、在庫情報および広告料情報の少なくとも一方に基づいて、第２商品を選択装置により選択し、第１商品のラベルに第２商品の情報を印字することができる。その結果、店舗にとって在庫量の多い、または在庫情報に含まれる消費期限情報から消費期限の短い商品を効率よく販売することができる。さらに、店舗にとって予測よりも売買量の少ない商品、または絶対的に売買の動きが少ない商品またはジャンル（シニスジの商品）を積極的に販売することができる。また、広告料の高い順に第２商品を選択することもできるので、店舗における広告料収入のメリットがある。さらに、在庫情報と兼用して使用することで、消費期限が短く、かつ広告料の高い第２商品を選択することができるので、店舗における販売効率が飛躍的に上がる。なお、選択装置による選択は、店舗における販売状況、販売実情等に応じて、店舗の管理者が手動で選択してもよく、印字装置の中央演算処理部により自動的に選択してもよい。
【００２７】
（８）
他の局面に従う商品販売方法は、少なくとも第１商品および第２商品を販売する店舗において、商品を販売する商品販売方法であって、第１商品および第２商品の関連基準情報を記録する記録ステップと、第１商品に対して、記録ステップにより記録された関連基準情報に基づいて、該関連基準情報および第２商品の情報の一覧を表示する表示ステップと、表示ステップに表示された第２商品の情報を選択する選択ステップと、選択ステップにより選択された第２商品の情報を第１商品のラベルに印字するように指示する指示ステップと、指示ステップにより指示された第２商品の情報を第１商品のラベルに印字する印字ステップと、を含むものである。
【００２８】
商品販売方法においては、記録ステップに記録された関連基準情報が表示ステップにより表示される。そして、第１商品に対する第２商品の情報を、選択ステップにより選択し、当該選択された第２商品の情報を第１商品のラベルに印字するよう指示ステップにより指示され、印字ステップにおいて第２商品の情報が第１商品のラベルに印字される。
【００２９】
この場合、第１商品に対する第２商品の情報の一覧から一の第２商品を選択することができ、第１商品のラベルに当該第２商品の情報を印字することができる。したがって、印字されたラベルを第１商品に貼着することにより、第１商品を購入した店舗の顧客に第２商品の情報を提供することができる。その結果、店舗内にある第２商品の購買意欲を向上させることができる。
また、第１商品を購入しようとした際に、ラベルに第２商品の情報が付されているので、リアルタイムに第２商品の購買意欲を向上させることができる。
【００３０】
（９）
第１商品は、生鮮食品であり、記録ステップは、関連基準情報として第１商品を調理するレシピを記録することが好ましい。
【００３１】
この場合、第１商品は、生鮮食品であるので消費期限が短く、特に第２商品の販売促進をリアルタイムに行うことができる。また、具体的に、顧客がレシピの料理を作る場合には、第２商品が必要であり、顧客にとって買い忘れ防止のメリットがあり、さらに店舗にとっても第２商品を販売することができるので、両者にメリットが生じる。
【００３２】
（１０）
記録ステップは、関連情報として第２商品の在庫情報および第２商品の広告料に関する広告料情報の少なくとも一方を記録してもよい。
【００３３】
この場合、在庫情報および広告料情報の少なくとも一方に基づいて、第２商品を選択し、第１商品のラベルに第２商品の情報を印字することができる。その結果、店舗にとって在庫量の多い、または在庫情報に含まれる消費期限情報から消費期限の短い商品を効率よく販売することができる。さらに、店舗にとって予測よりも売買量の少ない商品、または絶対的に売買の動きが少ない商品またはジャンル（シニスジの商品）を積極的に販売することができる。また、広告料の高い順に第２商品を選択することができるので、店舗における広告料収入のメリットがある。さらに、在庫情報と兼用して使用することで、消費期限が短く、かつ広告料の高い第２商品を選択することができるので、店舗における販売効率が飛躍的に上がる。なお、選択ステップは、店舗における販売状況、販売実情等に応じて、店舗の管理者が手動で選択してもよく、印字装置の中央演算処理部により自動的に選択してもよい。
【発明の効果】
【００３４】
本発明に係る印字装置、商品販売システムおよび商品販売方法によれば、販売店舗内における商品についてリアルタイムに購買意欲を向上させることができる。
【図面の簡単な説明】
【００３５】
【図１】本発明に係る第１の実施の形態に係る商品販売システムの概略を説明するための模式的外観図
【図２】図１の商品販売システムの内部構成の一例を示す模式的構造図
【図３】商品販売システムにおける表示装置の表示の一例を示す模式図
【図４】在庫個数または在庫消費期限を基礎とした関連基準情報の作成手順の一例を説明するための模式的説明図
【図５】広告料を基礎とした関連基準情報の作成手順の一例を説明するための模式的説明図
【図６】レシピを基礎とした関連基準情報の作成手順の一例を説明するための模式的説明図
【図７】印字装置により第１商品のラベルを印字した状態を説明するための説明図
【図８】印字装置により第１商品のラベルを印字した状態を説明するための説明図
【図９】図３および図６に示したレシピＡに関するラベルについての説明図
【図１０】印字装置の外観の一例を示す模式図
【図１１】印字装置の内部構成の一例を示す模式図
【発明を実施するための最良の形態】
【００３６】
以下、本発明に係る実施の形態について図面を用いて説明する。第１の実施の形態においては、商品販売システムおよび商品販売方法について本発明を適用した場合について具体例を挙げて説明を行い、第２の実施の形態においては、印字装置に本発明を適用した場合について具体例を挙げて説明する。
【００３７】
（第１の実施の形態）
図１は、本発明に係る第１の実施の形態に係る商品販売システム１００の周辺概略を説明するための模式的外観図であり、図２は、図１の商品販売システム１００の内部構成の一例を示す模式的構造図であり、図３は、商品販売システム１００における表示装置１５０の表示の一例を示す模式図である。
【００３８】
図１に示すように、商品販売システム１００は、インターネット９００を介して外部端末９１０，９２０，９３０に接続される。ここで、商品販売システム１００は、スーパーマーケット等の店舗において採用される商品管理や売上集計等の一連のデータ処理を行う店舗管理システムである。また、外部端末９１０，９２０，９３０は、それぞれ商品の製造メーカに配置される。本実施の形態においては、商品販売システム１００および外部端末９１０，９２０，９３０の間で相互通信が可能である。
【００３９】
また、図２に示すように、商品販売システム１００は、店舗内に配備されたバックボーンＬＡＮ（イーサーネット）に接続されるストアコントローラ１１０、ＰＯＳシステム１２０、印字装置１３０、インターフェイス１４０、表示装置１５０および選択装置１６０を含む。
【００４０】
ストアコントローラ１１０は、店舗管理システム全体の中央制御装置の役割を有する。また、ストアコントローラ１１０は、ストアオートメーションサーバーとも呼ばれる。このストアコントローラ１１０内には、記録装置１１２が備えられる。記録装置１１２には、商品マスタ１１３が記録されており、当該商品マスタ１１３には、各商品の商品名および商品価格情報、各商品を表すコード（以下、ＪＡＮ（Japanese Article Number）コードという。）等の商品情報が記録されている。また、記録装置１１２には、商品マスタ１１３に記録された商品情報に関する関連基準情報１１４が記録されている。当該関連基準情報１１４の詳細については後述する。
【００４１】
一般に、ストアコントローラ１１０は、商品マスタ１１３に基づいて店舗内の商品の価格管理、在庫管理、発注入庫管理、売上管理等の店舗内の各業務に関する管理を行う。例えば、店舗がフランチャイズチェーン店等の場合には、フランチャイズチェーンの本部から商品マスタ１１３がインターフェイス１４０を介してストアコントローラ１１０に送信される。また、インターフェイス１４０は、外部と接続されており、ストアコントローラ１１０から図１に示した外部端末９１０，９２０，９３０との通信を行う。
【００４２】
次に、ＰＯＳシステム１２０は、主として、ＰＯＳサーバ１２１と、ＰＯＳターミナルである複数台の電子キャッシュレジスタ（以下、ＥＣＲ（Electric Cash
Register）という。）１２２とから構成されている。また、ＰＯＳサーバ１２１は、商品の実売価格情報、売上情報、商品の販売実績等を記録する記録装置（図示せず）を有する。
【００４３】
次いで、印字装置１３０は、店舗内に陳列される商品に関するラベルを印字するラベルプリンタである。本実施の形態においては、商品の包装とともに、ラベルを貼り付ける印字装置を例に挙げて説明する。一般的に印字装置１３０は、包装印字装置とも呼ばれる。なお、印字装置１３０は、上記の印字装置に限らず、ハンディタイプの印字装置であってもよく、対面式で作業者が手でラベルを貼り付ける印字装置であってもよい。当該印字装置１３０の詳細については後述する。
【００４４】
続いて、図２および図３に示すように、表示装置１５０は、ディスプレイを有する。また、選択装置１６０は、表示装置１５０と関連して動作し、例えば、マウス、キーボード等からなる。なお、表示装置１５０および選択装置１６０が一体として動作し得るタッチパネルディスプレイからなってもよい。
【００４５】
図３に示すように、表示装置１５０においては、関連基準情報１１４が表示される。図３の関連基準情報１１４は、後述する在庫個数の降り順でソートを行った場合の表示の一例を示す。なお、図３で示す関連基準情報１１４は、後述する図４から図６に関する全ての処理を実施したものである。
【００４６】
図３に示すように、表示装置１５０の上段に、第１商品、“国産もも肉”、在庫個数“５００個”、消費期限“○月○日”が表示され、表示装置１５０の中段に、第２商品、第３商品、第４商品および第５商品として、商品名、在庫個数、期限、広告料およびレシピ等が表示される。
【００４７】
さらに、表示装置１５０の下段に、中段のデータのソート条件、“在庫の個数”の上下スイッチ１５５Ｕ，１５５Ｄ、“在庫の期限” の上下スイッチ１５６Ｕ，１５６Ｄ、“広告料” の上下スイッチ１５７Ｕ，１５７Ｄ、“レシピ” の上下スイッチ１５８Ｕ，１５８Ｄ、“終了” のスイッチが表示される。
【００４８】
この場合、店舗内の管理者または作業者が、選択装置１５０を用いて、関連基準情報１１４のうち少なくともいずれか１つを選択することができる。すなわち、店舗内の管理者または作業者は、選択装置１６０によりソートの各種上下スイッチを１個または複数を連続的に操作する。
そして、図３の関連基準情報１１４において表示された“第２商品”〜“第５商品”のいずれか１つを選択することにより、第１商品に対して選択された商品の情報がリンクされる。
【００４９】
ここで、図３に示した関連基準情報１１４の作成手順について説明を行う。図４は、在庫個数または在庫消費期限を基礎とした関連基準情報１１４の作成手順の一例を説明するための模式的説明図である。
【００５０】
まず、図４の上図に示すように、商品マスタ１１３には、各商品に対して在庫個数および在庫消費期限が記録されている。この場合、関連基準情報１１４として、商品マスタ１１３のデータを複写し、いずれの商品を基礎にするか決定する。図４においては、第１商品を基礎の商品として説明を行う。次に、図３に示した“在庫の個数”の下スイッチ１５５Ｄを操作する。
【００５１】
その結果、図４の下図に示すように、関連基準情報１１４は、基礎となる第１商品が表示され、さらに、第１商品以外の第２商品から第５商品までについて、在庫個数の多いものから少ないものの順（降り順）でソートされる。
【００５２】
そして、店舗内の管理者または作業者は、選択装置１６０を使用して、在庫個数の多いものから、または販売計画の優先させる商品でかつ在庫個数の多いものを選択し、第１商品と当該選択された商品の情報とをリンクさせる。
【００５３】
また、同様に、在庫期限に基づいた場合には、図３に示した“在庫の期限”の上下スイッチ１５６Ｕ，１５６Ｄを操作することにより、第１商品以外の第２商品から第５商品までの各商品が昇り順または降り順でソートされる。
【００５４】
そして、店舗内の管理者または作業者は、選択装置１６０を使用して、在庫期限の短いものから、または販売計画の優先させる商品（例えば、在庫量が多い商品など）でかつ在庫期限の短いものを選択し、第１商品と当該選択された商品の情報とをリンクさせる。
【００５５】
次に、図５は、広告料を基礎とした関連基準情報１１４の作成手順の一例を説明するための模式的説明図である。
【００５６】
まず、図５の上図に示すように、商品マスタ１１３には、各商品に対してＪＡＮコードが記載されている。このＪＡＮコードには、製造メーカにおける情報が含まれている。
【００５７】
この場合、関連基準情報１１４として、商品マスタ１１３のデータを複写し、いずれの商品を基礎にするか決定する。図５においては、第１商品を基礎の商品として説明を行う。
【００５８】
関連基準情報１１４の広告料には、ＪＡＮコードに含まれる製造メーカ情報に基づいて、それぞれ各製造メーカ側の外部端末９１０，９２０，９３０からインターネット９００を介して各製造メーカの商品に対する広告費用の額が提示され、当該提示された額が、関連基準情報１１４に組み込まれる。
【００５９】
続いて、図３に示した“広告料”の下スイッチ１５７Ｄを操作する。その結果、図５の下図に示すように、関連基準情報１１４は、基礎となる第１商品が表示され、さらに、第１商品以外の第２商品から第５商品までについて、広告料の高いものから低いものの順（降り順）でソートされる。
【００６０】
そして、店舗内の管理者または作業者が、選択装置１６０を使用して、広告料の高いものから、または販売計画の優先させる商品でかつ広告料の高いものを選択し、第１商品と当該選択された商品の情報とをリンクさせる。
【００６１】
続いて、図６は、レシピを基礎とした関連基準情報１１４の作成手順の一例を説明するための模式的説明図である。
【００６２】
まず、図６の上図に示すように、商品マスタ１１３には、各商品に対してＪＡＮコードが記載されている。このＪＡＮコードには、商品分類および商品名に関する情報が含まれている。
【００６３】
関連基準情報１１４として、商品マスタ１１３のデータを複写し、いずれの商品を基礎にするか決定する。図６においては、第１商品を基礎の商品として説明を行う。
【００６４】
そして、店舗内の管理者または作業者が、選択装置１６０を用いて、関連基準情報１１４のＪＡＮコードの商品分類および商品名に関する情報に基づいて、第１商品に関するレシピをレシピデータ群から選択する。図６に示すように、“第１商品用レシピＡ”を選択した場合は、第２商品、第３商品および第８商品等が記載されている。
【００６５】
そこで、第１商品に対して、第２商品、第３商品、第８商品のいずれか１つの商品の情報をリンク付けする。また、レシピデータ群から１個のレシピだけを選択するのではなく、複数のレシピに優先順位を付けて、さらに複数の商品の優先順位を選択してもよい。
【００６６】
続いて、図７および図８は、印字装置１３０により第１商品のラベルを印字した状態を説明するための説明図である。図７は商品の包装を行うとともにラベルを印字し、当該印字されたラベルを貼着する印字装置を示し、図８は当該ラベルの具体例を説明するための説明図である。
【００６７】
図７に示すように、トレーに載置された第１商品を印字装置１３０の商品投入口１３３ａに載置する。印字装置１３０は、内蔵された電子秤装置を用いて第１商品の重量を測定する。すなわち、ストアコントローラ１１０から与えられた商品マスタ１１３に基づいて、重量当りの単価が規定されているので、重量値に基づいて、第１商品の価格が決定される。そして、ストアコントローラ１１０は、印字装置１３０に第１商品の包装指示を行うとともに、印字装置１３０に対してラベル３２０を印字するように指示する。ここで、ストアコントローラ１１０は、ラベル３２０に、第１商品の情報および上記で第１商品とリンクされた第２商品の情報を印字するように指示する。
その結果、図８に示すラベル３２０には、第１商品の情報３２１および第２商品の情報３２２が印字され、当該ラベルが第１商品３１０に貼着され、商品取り出し口１３３ｂに包装された商品が排出される。
【００６８】
次に、図８に示したラベル３２０に対する効果について説明を行う。図９は、図３および図６に示したレシピＡに関するラベルについての説明図である。
【００６９】
図９に示すように、ラベル３２０には、第２商品の情報３２２がＱＲコードで印字されている。この場合、購入者は、携帯電話ＳＢに搭載されているカメラでＱＲコードを読取り、画面ＨＹ１を得ることができる。画面ＨＹ１には、第１商品に対する調理用のレシピが表示される。購入者は、“もも肉のソテー”を選択した場合、画面ＨＹ２が表示される。
【００７０】
画面ＨＹ２には、もも肉のソテーの材料が表示されており、第１商品の情報３２１と関連付けられた第２商品の情報３２２が表示される。ここで、第２商品が“ブラックペッパー”の場合、第２商品の情報３２２は、例えば、“今買えば、ブラックペッパー５０円引き”と表示される。それにより、購入者は、第２商品の購買意欲を刺激される。
【００７１】
（第２の実施の形態）
以下、第２の実施の形態として、印字装置に本発明を適用した場合について具体例を挙げて説明を行う。以下の説明においては、第２の実施の形態が第１の実施の形態と異なる点について主に説明を行う。
【００７２】
第２の実施の形態においては、第１の実施の形態において説明した、商品販売システムの内部構成において、ストアコントローラ１１０が実施していた機能を印字装置３００に持たせたものである。
【００７３】
図１０は、印字装置の外観の一例を示す模式図であり、図１１は、印字装置の内部構成の一例を示す模式図である。
【００７４】
図１０および図１１に示すように、印字装置３００は、中央演算処理装置（以下、ＣＰＵと呼ぶ）３０１、基本プログラムを記憶するＲｅａｄ−Ｏｎｌｙ  Ｍｅｍｏｒｙ（以下ＲＯＭと呼ぶ）３０２、演算処理の作業領域であるＲａｎｄｏｍ  Ａｃｃｅｓｓ  Ｍｅｍｏｒｙ（以下、ＲＡＭと呼ぶ）３０３、プログラムや各種のデータファイルなどを記憶する記憶処理部３０４、ディスプレイ（タッチパネル）からなる表示部３０５、キーボード等で構成される入力部３０６、商品に対してラッピング等の包装処理を行う包装装置３０７、商品の商品情報をラベルまたはシール等に印字する印字装置３０８、インターフェィス（以下、Ｉ／Ｆと呼ぶ。）３２０およびデータ通信機能を有する外部通信３３０からなる。
【００７５】
図１１に示すＣＰＵ３０１は、ＲＯＭ３０２、ＲＡＭ３０３、記憶処理部３０４、表示部３０５、入力部３０６、包装装置３０７、印字装置３０８、Ｉ／Ｆ３２０および外部通信３３０と接続されており、ＣＰＵ３０１により、ＲＯＭ３０２、ＲＡＭ３０３、記憶処理部３０４、表示部３０５、入力部３０６、包装装置３０７、印字装置３０８、Ｉ／Ｆ３２０および外部通信３３０の個々が制御される。
【００７６】
また、図１１に示すように、記憶処理部３０４には、商品マスタ３５０、関連基準情報３５１等が記録される。関連基準情報３５１は、第１の実施の形態と同様に、在庫個数、在庫期限、広告料およびレシピ等の情報と商品マスタ３５０の情報とをリンクさせ、第１商品に対して、第２商品の情報をリンクさせたものである。なお、これらの商品マスタ３５０および関連基準情報３５１は、印字装置３００の電源入り時に、ストアコントローラ２００（図２参照）から外部通信３３０およびＩ／Ｆ３２０を介して記憶処理部３０４に記憶されてもよい。
【００７７】
また、図１１に示した印字装置３００には、第１の実施の形態で示した図３の表示装置１５０と同等の表示が、表示部３０５に表示される。その他の処理については、第１の実施の形態と同様である。
【００７８】
以上のように、第１および第２の実施の形態に係る商品販売システム１００および印字装置３００については、関連基準情報１１４に基づいて表示された第２商品の一覧から第２商品を選択し、第１商品のラベル３２０に当該第２商品の情報を印字することができる。したがって、印字されたラベル３２０を第１商品に貼着することにより、第１商品を購入した店舗の顧客に第２商品の情報を提供することができる。その結果、店舗内にある第２商品の購買意欲を向上させることができる。
【００７９】
また、第１商品を購入しようとした際に、ラベル３２０に第２商品の情報３２２が付されているので、顧客にアルタイムで第２商品の購買意欲を向上させることができる。さらに、第１商品が、生鮮食品である場合には、生鮮食品は、消費期限が短いため、特に第２商品の販売促進をリアルタイムに行うことができる。
【００８０】
また、具体的に、顧客がレシピの料理を作る場合には、第２商品が必要であり、顧客にとって買い忘れ防止のメリットがあり、さらに店舗にとっても第２商品を販売することができるので、両者にメリットが生じる。
【００８１】
また、在庫情報および広告料情報の少なくとも一方に基づいて、第２商品を選択し、第１商品のラベル３２０に第２商品の情報３２２（ＱＲコード）を印字することができる。その結果、店舗にとって在庫量の多い、または在庫情報に含まれる消費期限情報から消費期限の短い商品を効率よく販売することができる。さらに、店舗にとって予測よりも売買の少ない商品、または絶対的に売買の動きが少ない商品またはジャンル（シニスジの商品）を第２商品として顧客に提供することで、積極的に当該第２商品を販売することができる。また、広告料の高い順に第２商品を選択することもできるので、店舗における広告料収入のメリットがある。さらに、在庫情報と兼用して使用することで、消費期限が短く、かつ広告料の高い第２商品を選択することができるので、店舗における販売効率が飛躍的に上がる。
【００８２】
また、第１商品および第２商品の販売実績および関連基準情報１１４が記録されるので、店舗における販売状況、販売実情等に応じて、関連基準情報１１４を選択し、当該選択された第２商品の情報を第１商品のラベル３２０に付与することができる。
【００８３】
なお、本実施の形態においては、ＪＡＮコードを記録する場合について説明を行ったが、これに限定されず、インストアコード、ＥＡＮコード（イアンコード、European
Article Number）、ＵＰＣコード（Universal Product Code）、ＷＰコード（World
Product Code）、新型バーコードであるＧＳ１データバー等、任意のコードを用いてもよい。
【００８４】
また、本実施の形態においては、第２商品の情報をＱＲコード３２２で説明したが、これに限定されず、バーコード、インターネットアドレス表示など、任意の情報であってもよい。
【００８５】
また、ＰＯＳシステム１２０は、ＰＯＳサーバ１２１を有することとしたが、これに限定されず、ＰＯＳサーバ１２１の機能をストアコントローラ１１０に持たせてＰＯＳサーバ１２１の設置を省略してもよい。
【００８６】
本実施の形態においては、ラベル３２０が、ラベルに相当し、印字装置１３０、印字部３０８が印字装置に相当し、関連基準情報１１４が関連基準情報に相当し、表示部１５０、表示部３０５が表示部、表示装置に相当し、選択部１６０、入力部３０６が選択部、選択装置に相当する。
【００８７】
本発明の好ましい実施の形態は上記の通りであるが、本発明はそれらだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００８８】
１００  商品販売システム
１１０  ストアコントローラ
１１２  記録装置
１１３  商品マスタ
１１４  関連基準情報
１２０  ＰＯＳシステム
１２１  ＰＯＳサーバ
１２２  電子キャッシュレジスタ
１３０  印字装置
１３３ａ  商品投入口
１３３ｂ  商品取り出し口
１４０  インターフェイス
１５０  表示装置
１６０  選択装置
２００  ストアコントローラ
３００  印字装置
３０１  ＣＰＵ
３０２  ＲＯＭ
３０３  ＲＡＭ
３０４  記憶処理部
３０５  表示部
３０６  入力部
３０７  包装装置
３０８  印字装置
３２０  ラベル
３２１  第１商品の情報
３２２  第２商品の情報（ＱＲコード）
９００  インターネット
９１０，９２０，９３０  外部端末
【図２】
2011178081.tif 000003
【図１】
2011178081.tif 000004
【図３】
2011178081.tif 000005
【図４】
2011178081.tif 000006
【図５】
2011178081.tif 000007
【図６】
2011178081.tif 000008
【図７】
2011178081.tif 000009
【図８】
2011178081.tif 000010
【図９】
2011178081.tif 000011
【図１０】
2011178081.tif 000012
【図１１】
2011178081.tif 000013